(57)【特許請求の範囲】
【請求項１】
個別アンテナを有し、電話番号が個別に割り当てられ、無線基地局に無線接続されて送信動作又は着信に応答する受信動作を行い、前記送信動作による送信信号及び前記受信動作による受信信号に対して所定の処理を行う複数の送受信機部と、
入出力手段として、スピーカ、マイク、表示部及び操作ボタンを有し、前記複数の送受信機部のいずれか一つの送受信機部で処理された前記受信信号に基づいて所定の出力動作を行うと共に、該送受信機部で前記送信信号を出力させるための所定の入力動作を行うための入出力部とを備え、
前記入出力部と各送受信機部とは、互いに着脱可能であると共に、互いに電気的機械的に切り離されている単体状態では、通話可能な携帯電話機としては機能できず、互いに電気的に接続されることによって、通話可能な携帯電話機として機能する構成となっていて、かつ、前記各送受信機部は、前記入出力部から電気的機械的に切り離されている単体状態でも、着信したときは、着信履歴をメモリに記録する機能を備えていることを特徴とする携帯電話機。
【請求項２】
前記入出力部は、
前記複数の送受信機部の任意の２つにほぼ同時に着信した場合に優先的に応答して受信動作をさせるための受信優先順位を任意に設定可能な構成とされていることを特徴とする請求項１記載の携帯電話機。
【請求項３】
請求項１又は２記載の携帯電話機の前記送受信機部として用いられる送受信機ユニット。
【請求項４】
請求項１又は２記載の携帯電話機の前記入出力部として用いられる入出力装置。
【発明の詳細な説明】
【技術分野】
【０００１】
この発明は、携帯電話機、該携帯電話機に用いられる送受信機ユニット及び入出力装置に係り、特に、一台で複数台分の機能を使い分ける場合に用いて好適な携帯電話機、該携帯電話機に用いられる送受信機ユニット及び入出力装置に関する。
【背景技術】
【０００２】
携帯電話機を、たとえばビジネス用とプライベート用とに使い分けたいというニーズがあるが、この場合、複数の携帯電話機が必要となり、携行が煩雑になる。そこで、１台で２つ以上の電話番号が割り当てられた携帯電話機が考えられるが、複数の電話番号が割り当てられても、送受信機が一つの携帯電話機で複数の電話番号を管理するためには、たとえば、契約する通信事業者や契約者が同一でなければならないなど、電話番号それぞれの契約者や通信事業者の組み合わせに制限ができてしまうという問題点がある。
【０００３】
この種の関連する技術としては、たとえば、特許文献１に記載された無線機がある。
この無線機は、ソフトウェアを変更することにより複数の無線通信システムに接続可能なソフトウェア無線機として構成されている。この無線機では、電源投入時などに第１のソフトウェアがロードされる。第１のソフトウェアは、複数の無線通信システムのうちの２つ以上のシステムの待ち受け状態に入るまでの無線基地局との送受信手順と、複数の無線通信システムの待ち受けを同時に各無線通信システムによって予め定められた周期毎に行う動作と、待ち受け中、任意の無線通信システムからの着呼時に、他の無線通信システムに対しては話中状態になることを他の無線通信システムの無線基地局に通知するための送信手順とから構成されている。また、この無線機では、ある１つの無線通信システムの着呼時には、他のシステムに対して話中信号を送った後、ソフトウェアの少なくとも一部を変更し、着呼のあった無線通信システムで通信するための第２のソフトウェアがロードされる。
【０００４】
また、特許文献２に記載された複数の電話番号を持つ携帯電話機では、周波数、通信方式及び変調方式が一致する複数の無線部が設けられ、同各無線部は、アンテナ、アンテナスイッチ、送信部、受信部及び周波数シンセサイザからなっている。これらの無線部は、切替スイッチを介して制御部のベースバンド信号処理部に接続され、主制御部からの信号に基づいて同切替スイッチにより切り替えられる。
【０００５】
また、特許文献３に記載された情報携帯端末では、複数機種の移動送受信機が同時に接続され、移動送受信機の機種間で定まる優先順にしたがって、送受信に使用する機種の設定が自動的に行われる。これにより、設定画面による移動送受信機の機種設定が不要となると共に、同時に接続される複数種の移動送受信機から送受信に使用する機種が自動設定される。
【０００６】
また、特許文献４に記載された移動体通信端末では、筐体内において、第１の送受信アンテナなどが実装されている第１のプリント基板と、第２の送受信アンテナなどが実装されている第２のプリント基板とが、別基板として個別に配設される。これにより、第１及び第２の無線機のグラウンドパターンが物理的に分離され、電波干渉が軽減される。
【特許文献１】特開２０００−１９６４９４号公報（要約書、図１）
【特許文献２】特開２００１−２５８０７４号公報（要約書、図１）
【特許文献３】特開２００３−０３２３８６号公報（要約書、図１）
【特許文献４】特開２００７−０３７１７０号公報（要約書、図７）
【発明の開示】
【発明が解決しようとする課題】
【０００７】
しかしながら、上記各文献に含まれる技術では、次のような問題点があった。
すなわち、特許文献１に記載された無線機では、複数の無線通信システムの待ち受けが行われるが、１台で複数台分の機能を使い分けるものではないので、この発明とは構成が異なる。
【０００８】
特許文献２に記載された携帯電話機では、複数の無線部の周波数、通信方式及び変調方式が同一に構成されているので、この発明とは構成が異なる。
【０００９】
特許文献３に記載された情報携帯端末は、複数機種の移動送受信機が同時に接続されるものであり、この発明とは構成が異なる。
【００１０】
特許文献４に記載された移動体通信端末では、第１のプリント基板と第２のプリント基板とが個別に配設され、グラウンドパターンが物理的に分離されるものであり、この発明とは構成が異なる。
【００１１】
この発明は、上述の事情に鑑みてなされたもので、一台で複数台分の機能を使い分けることが可能な携帯電話機、該携帯電話機に用いられる送受信機ユニット及び入出力装置を提供することを目的としている。
【課題を解決するための手段】
【００１２】
上記課題を解決するために、この発明の携帯電話機は、個別アンテナを有し、電話番号が個別に割り当てられ、無線基地局に無線接続されて送信動作又は着信に応答する受信動作を行い、前記送信動作による送信信号及び前記受信動作による受信信号に対して所定の処理を行う複数の送受信機部と、入出力手段として、スピーカ、マイク、表示部及び操作ボタンを有し、前記複数の送受信機部のいずれか一つの送受信機部で処理された前記受信信号に基づいて所定の出力動作を行うと共に、該送受信機部で前記送信信号を出力させるための所定の入力動作を行うための入出力部とを備え、前記入出力部と各送受信機部とは、互いに着脱可能であると共に、互いに電気的機械的に切り離されている単体状態では、通話可能な携帯電話機としては機能できず、互いに電気的に接続されることによって、通話可能な携帯電話機として機能する構成となっていて、かつ、前記各送受信機部は、前記入出力部から電気的機械的に切り離されている単体状態でも、着信したときは、着信履歴をメモリに記録する機能を備えていることを特徴としている。
【発明の効果】
【００１３】
この発明の構成によれば、複数の送受信機部で１台の入出力部が共有されるので、複数の送受信機部を１台の携帯電話機として扱うことができ、複数の電話番号を用途毎に使い分けたい場合でも、複数の携帯電話機を携行する必要がなく、ユーザの利便性を向上させることができる。
【発明を実施するための最良の形態】
【００１４】
個別アンテナを有し、電話番号が個別に割り当てられ、無線基地局に無線接続されて送信動作又は着信に応答する受信動作を行い、上記送信動作による送信信号及び上記受信動作による受信信号に対して所定の処理を行う複数の送受信機部と、入出力手段として、スピーカ、マイク、表示部及び操作ボタンを有し、上記複数の送受信機部のいずれか一つの送受信機部で処理された上記受信信号に基づいて所定の出力動作を行うと共に、該送受信機部で上記送信信号を出力させるための所定の入力動作を行うための入出力部とを備え、上記複数の送受信機部を、上記入出力部に対して着脱可能な構成とすることで、この発明の目的を達成する。
【００１５】
また、この発明では、上記入出力部は、上記複数の送受信機部の任意の２つにほぼ同時に着信した場合に優先的に応答して受信動作をさせるための受信優先順位を任意に設定可能な構成とされている。これにより、入出力部に接続されている送受信機部の受信動作の優先度を任意に設定でき、複数の携帯電話機に同時に着信した場合に選択して応答する判断と同等の処理が自動で行われるので、ユーザの利便性を向上させることができる。
【００１６】
また、この発明では、上記各送受信機部は、上記入出力部に接続されているか否かに関わらず、上記受信動作を継続的に行う構成とされている。これにより、各送受信機部は、単体としては、入出力部を備えていない１つの携帯電話機の機能を有しているので、複数の携帯電話番号に対し、通信事業者及び契約者を自由に選択でき、ユーザの利便性を向上させることができる。
【００１７】
また、この発明では、上記各送受信機部は、着信したとき、着信履歴を記録する構成とされている。
【００１８】
また、この発明では、上記携帯電話機の送受信機部として送受信機ユニットが用いられる。
【００１９】
また、この発明では、上記携帯電話機の入出力部として入出力装置が用いられる。
【実施例】
【００２０】
図１は、この発明の一実施例である携帯電話機の要部の電気的構成を示すブロック図である。
この例の携帯電話機１は、同図に示すように、送受信機ユニット１０，２０と、入出力装置３０とから構成されている。送受信機ユニット１０，２０は、入出力装置３０に対して着脱可能な構成となっている。送受信機ユニット１０は、アンテナ１０ａと、無線部１１と、入出力装置接続制御部１２と、メモリ１３とから構成されている。無線部１１は、送信制御部１１ａと、受信制御部１１ｂとから構成されている。
【００２１】
特に、この実施例では、送受信機ユニット１０は、ユニークな電話番号が割り当てられ、アンテナ１０ａを介して無線信号Ｗ１により図示しない無線基地局に無線接続され、送信制御部１１ａにより送信動作を行うと共に、受信制御部１２ｂにより着信に応答する受信動作を行い、送信動作による送信信号に対する変調及び受信動作による受信信号に対する復調などの処理を行う。無線基地局は、図示しない在圏移動通信交換局及び関門移動通信交換局を介して一般電話回線網に接続されている。また、受信制御部１２ｂは、送受信機ユニット１０が入出力装置３０に接続されているか否かに関わらず、受信動作を継続的に行う。入出力装置接続制御部１２は、送受信機ユニット１０と入出力装置３１との接続制御を行う他、同送受信機ユニット１０に着信したとき、着信履歴をメモリ１３に記録する。メモリ１３は、たとえばＲＡＭ（Random Access Memory）などで構成され、送受信機ユニット１０に着信したとき、着信履歴を記録する。
【００２２】
送受信機ユニット２０は、送受信機ユニット１０と異なるユニークな電話番号が割り当てられ、送受信機ユニット１０と同様に構成されると共に、同様の機能を有している。すなわち、送受信機ユニット２０は、無線信号Ｗ２により無線基地局に無線接続されるアンテナ２０ａと、無線部２１と、入出力装置接続制御部２２と、メモリ２３とから構成されている。また、無線部２１は、送信制御部２１ａと、受信制御部２１ｂとから構成されている。
【００２３】
入出力装置３０は、送受信機ユニット１０，２０のいずれか一つで処理された受信信号に基づいて所定の出力動作を行うと共に、同送受信機ユニット１０，２０で上記送信信号を出力させるための所定の入力動作を行う。特に、この実施例では、入出力装置３０は、送受信機接続制御部３１と、出力制御部３２と、表示部３３と、スピーカ３４と、入力制御部３５と、マイク３６と、操作ボタン３７とから構成されている。送受信機接続制御部３１は、送受信機ユニット１０，２０との接続制御を行い、特に、この実施例では、同送受信機ユニット１０，２０にほぼ同時に着信したときに、いずれか一方が優先的に応答して受信動作をさせるための受信優先順位を任意に設定可能となっている。この場合、他方の送受信機ユニットは、送信元に対して通話中として処理されるようになっている。
【００２４】
出力制御部３２は、接続されている送受信機ユニット１０，２０の上記受信信号に基づく情報を送受信機接続制御部３１を介して入力し、表示部３３で画面表示させると共にスピーカ３４で音声出力させる。特に、この実施例では、出力制御部３２は、送受信機ユニット１０，２０のいずれか一方に着信した場合、この着信した送受信機ユニットに対応する情報を出力するように自動的に切り替えを行う。表示部３３は、たとえば液晶表示装置などで構成され、電話番号、時計、サービス圏内／圏外、電話帳表示、スケジュール表示、カレンダー表示、機能メニュー表示、現在の動作モードなどを表示する。スピーカ３４は、着信音を発生すると共に、この携帯電話機１の受話部としての機能を有している。
【００２５】
マイク３６は、この携帯電話機１の送話部としての機能を有している。操作ボタン３７は、たとえば、送信ボタン、英字／カナ／漢字／数字の変換ボタン、電源のオン／オフボタン、カーソル操作を行うための十文字ボタン、及び終了ボタンなどから構成され、ユーザの操作により、文字などの入力や項目の選択などの各種操作を行うための手段である。入力制御部３５は、接続されている送受信機ユニット１０，２０に対し、上記送信信号を出力させるために、操作ボタン３７でのボタン押下による操作に基づく操作情報、及びマイク３６での音声入力に基づく音声信号を送受信機接続制御部３１を介して入力する。特に、この実施例では、入力制御部３５は、操作ボタン３７による操作情報に基づいて送受信機ユニット１０，２０のいずれかを選択する。また、入力制御部３５は、送受信機ユニット１０，２０のいずれか一方に着信した場合、この着信した送受信機ユニットに情報を入力するように自動的に切り替えを行う。
【００２６】
図２は、図１中の送受信機ユニット１０の要部の構成及び外観を示す図である。
この送受信機ユニット１０では、同図２の側面図に示すように、送信制御部１１ａ、受信制御部１１ｂ及び入出力装置接続制御部１２が配設され、また、図示しないアンテナ１０ａ及びメモリ１３も、適切な部位に配設されている。また、同図２の正面図に示すように、端部には、入出力装置３０との接続ポイントが設けられている。送受信機ユニット２０も、送受信機ユニット１０と同様の構成になっている。
【００２７】
図３は、図１中の入出力装置３０の要部の構成及び外観を示す図である。
この入出力装置３０は、同図３の正面図に示すように、上部ユニット３０ａと、下部ユニット３０ｂとを備えている。上部ユニット３０ａは、正面側に表示部３３及びスピーカ３４を備え、下部ユニット３０ｂが、正面側に操作ボタン３７及びマイク３６を備えている。そして、上部ユニット３０ａの正面側及び下部ユニット３０ｂの正面側同士が向かい合う態様でヒンジ部３０ｃを介して折り畳み可能に構成されている。また、同図３の側面図に示すように、上部ユニット３０ａの内部に出力制御部３２、下部ユニット３０ｂの内部に入力制御部３５、及びヒンジ部３０ｃの内部に送受信機接続制御部３１が設けられている。
【００２８】
図４は、入出力装置３０に送受信機ユニット１０，２０が接続される状態を示す図である。
この入出力装置３０では、同図４に示すように、ヒンジ部３０ｃに送受信機ユニット接続ポイント（接続ポイントＡ及び接続ポイントＢ）が設けられ、同接続ポイントＡ（画面側）に送受信機ユニット１０、及び接続ポイントＢ（操作ボタン側）に送受信機ユニット２０が接続される。ユーザは、日々の仕事とプライベートとの切り替わりや、新たに送受信機ユニットを購入した場合などを機会に送受信機ユニットの脱着を行い、両方の送受信機ユニットに同時に着信したときに優先したい送受信機ユニットを入出力装置３０の操作ボタン側に接続することが可能である。
【００２９】
図５は、図１の携帯電話機１の動作を説明するシーケンス図である。
この図を参照して、この例の携帯電話機１の動作について説明する。
この携帯電話機１では、送受信機ユニット２０が入出力装置３０の操作ボタン側に接続される（ステップａ１）。入出力装置３０では、送受信機接続制御部３１にて、送受信機ユニット２０が操作ボタン側に接続されたか画面側に接続されたかが判定され、操作ボタン側であることが認識される（判定Ｄ１）。一方、送受信機ユニット１０は、入出力装置３０の画面側に接続される（ステップａ２）。入出力装置３０では、送受信機接続制御部３１にて、送受信機ユニット１０が画面側に接続されたことが認識される（判定Ｄ２）。
【００３０】
この状態で、基地局４２を経由して送受信機ユニット１０に着信し（ステップａ３）、入出力装置３０の送受信機接続制御部３１に通知される（ステップａ４）。入出力装置３０では、送受信機ユニット１０に着信があることが認識されるが、優先される送受信機ユニットではないと判定される（判定Ｄ３）。そこで、優先される送受信機ユニット２０から着信があるか否かが判定される（判定Ｄ４）。送受信機ユニット２０からの着信がないと判定された場合、入出力装置３０の出力制御部３２にて送受信機ユニット１０の着信に応答する処理が行われ（ステップｂ１，ｂ２）、送受信機ユニット１０で通話処理Ｂ１が行われる。
【００３１】
また、基地局４１を経由して送受信機ユニット２０に着信し（ステップａ５）、入出力装置３０に通知されて着信が判定された場合（ステップａ６、判定Ｄ４）、送信元に呼び出し音を聞かせるなど、送受信機ユニット２０に着信する処理が行われる（ステップａ７，ａ８）。これと並行して、送受信機ユニット１０では、同送受信機ユニット１０が通話中である場合と同様の処理が行われる（ステップａ９，ａ１０）。この後、送受信機ユニット２０では、発信者に対する応答から通話の切断に至るまでの一連の通話処理Ａ１が行われる。また、送受信機ユニット１０では、相手に通話中であることを知らせる音を聞かせる、あるいは留守番電話を起動するなど、通常の携帯電話において通話中である場合と同様の処理が行われる（非通話処理Ａ２）。
【００３２】
以上のように、この実施例では、２台の送受信機ユニット１０，２０で１台の入出力装置３０が共有されるので、送受信機ユニット１０，２０を１台の携帯電話機として扱うことができ、複数の電話番号を用途毎に使い分けたい場合でも、複数の携帯電話機を携行する必要がなく、ユーザの利便性が向上する。また、送受信機ユニット１０，２０は、単体としては、入出力部を備えていない１つの携帯電話機の機能を有しているので、複数の携帯電話番号に対し、通信事業者及び契約者を自由に選択でき、ユーザの利便性が向上する。また、入出力装置３０に接続されている送受信機ユニット１０，２０の受信動作の優先度を任意に設定でき、複数の携帯電話機に同時に着信した場合に選択して応答する判断と同等の処理が自動で行われるので、ユーザの利便性が向上する。
【００３３】
以上、この発明の実施例を図面により詳述してきたが、具体的な構成は同実施例に限られるものではなく、この発明の要旨を逸脱しない範囲の設計の変更などがあっても、この発明に含まれる。
たとえば、図３に示す入出力装置３０は、筐体が折り畳み型であるが、たとえば図６に示すように、ストレート型の入出力装置３０Ａでも良い。この場合、送受信機ユニット１０，２０と同等の内部構成の送受信機ユニット１０Ａ，２０Ａが接続される。また、筐体は、スライド型でも良い。また、上記実施例では、入出力装置３０の操作ボタン側に接続された送受信機ユニット２０の受信が優先されるが、これに限定されない。たとえば、（１）入出力装置３０に接続されている期間の長い送受信機ユニットが優先される、（２）ユーザが設定した時間毎に着信が優先される送受信機ユニットが切り替えられる、（３）ユーザが設定した通信事業者と契約している送受信機ユニットが優先される、（４）ユーザがマナーモードに設定していない側の送受信機ユニットが優先される、（５）ユーザが送受信機ユニット毎にある位置を設定しておき、その設定位置がユーザの在圏位置に近い送受信機ユニットが優先される。
【００３４】
また、メールの受信についても、図５に示すシーケンスと同様に、複数の送受信機ユニットで同時に受信した場合は、指定された送受信機ユニットのメールを優先的に受信して閲覧することが可能となる。また、図４では、入出力装置３０に送受信機ユニット１０，２０が接続されているが、操作ボタン側の送受信機ユニットのみを入出力装置３０に接続することで、通常の１台の携帯電話機として動作させることが可能である。この場合、画面側には送受信機ユニットが接続されないため、薄型となる。
【００３５】
また、ユーザが３つ以上の送受信機ユニットを所有し、２つの送受信機ユニットを選んで入出力装置３０に接続する一方、残りの１つの送受信機ユニットを接続しないという使い方も可能となる。この場合、接続されていない送受信機ユニットは、通信は継続しているため、着信履歴が残る。また、送受信機ユニット１０，２０のいずれか一方のみを入出力装置３０に対して着脱可能とし、他方を入出力装置３０内部に固定的に設けても良い。また、送受信機ユニット１０，２０の両方を入出力装置３０内部に固定的に設けても良い。この場合、送受信機ユニット１０，２０が入出力装置３０に対して着脱不可能となるが、上記実施例に準じた作用、効果が得られる。
【産業上の利用可能性】
【００３６】
この発明は、複数の携帯電話機を携行する必要のあるビジネスパーソン個人向けの携帯電話機の販売分野に適用できる。また、法人分野を対象とする携帯電話機の販売では、入出力装置に１つの送受信機ユニットのみが接続されている状態で提供し、個人の携帯電話機を同型の送受信機ユニットに買い替えるように促すといったビジネスの用途にも適用可能である。
【図面の簡単な説明】
【００３７】
【図１】この発明の一実施例である携帯電話機の要部の電気的構成を示すブロック図である。
【図２】図１中の送受信機ユニット１０の要部の構成及び外観を示す図である。
【図３】図１中の入出力装置３０の要部の構成及び外観を示す図である。
【図４】入出力装置３０に送受信機ユニット１０，２０が接続される状態を示す図である。
【図５】図１の携帯電話機１の動作を説明するシーケンス図である。
【図６】入出力装置及び送受信機ユニットの構成及び外観の他の例を示す図である。
【符号の説明】
【００３８】
１０，２０，１０Ａ，２０Ａ      送受信機ユニット（送受信機部）
１０ａ，２０ａ      アンテナ（送受信機部の一部）
１１，２１      無線部（送受信機部の一部）
１１ａ，２１ａ      送信制御部（送受信機部の一部）
１１ｂ，２１ｂ      受信制御部（送受信機部の一部）
１２，２２      入出力装置接続制御部（送受信機部の一部）
１３，２３      メモリ（送受信機部の一部）
３０，３０Ａ      入出力装置（入出力部）
３１      送受信機接続制御部（入出力部の一部）
３２      出力制御部（入出力部の一部）
３３      表示部（入出力部の一部）
３４      スピーカ（入出力部の一部）
３５      入力制御部（入出力部の一部）
３６      マイク（入出力部の一部）
３７      操作ボタン（入出力部の一部）
【図１】
0005332298.tif 000002
【図２】
0005332298.tif 000003
【図３】
0005332298.tif 000004
【図４】
0005332298.tif 000005
【図５】
0005332298.tif 000006
【図６】
0005332298.tif 000007